(57)【特許請求の範囲】
【請求項１】
複数本の光ファイバ心線を有する光ケーブルの任意の点から必要な光ファイバ心線を切り出して分岐ケーブルの分岐ケーブル把持部より先端で該分岐ケーブルから切り出した分岐光ファイバ心線に接続するとともに、残りの光ファイバ心線は切断せずにそのまま収容しておく後分岐型の光ケーブル接続用クロージャであって、
当該クロージャの筐体内に、前記切断した光ファイバ心線と前記分岐光ファイバ心線とを接続するそれぞれのコネクタを収納するコネクタ収納部と、コネクタ接続された前記分岐光ファイバ心線の心線余長を収納する心線余長収納部と、前記分岐光ファイバ心線を配線するための配線用空隙とを備えているトレイを設け、
前記トレイの下方の前記筐体内の空間には該筐体内に導入する前記分岐ケーブルの余長を収納する分岐ケーブル余長収納部を設けるとともに、
前記トレイの側面および前記トレイの下方に前記分岐ケーブルを把持する前記分岐ケーブル把持部を設けたことを特徴とする光ケーブル接続用クロージャ。
【請求項２】
前記コネクタ収納部が該コネクタ収納部の中央に関して対称に、前記トレイの水平方向に対して下方に傾斜してＶ字形状に設けられ該トレイの底部の一部を形成していることを特徴とする請求項１に記載の光ケーブル接続用クロージャ。
【請求項３】
前記コネクタ収納部が前記コネクタを個別に収納する縦壁と、収納した前記コネクタの浮き上がり防止のために前記縦壁に設けた係止突起とを備えていることを特徴とする請求項１または２に記載の光ケーブル接続用クロージャ。
【請求項４】
前記トレイの一部を形成する前記コネクタ収納部の底部にコネクタ押出し用の空隙を有することを特徴とする請求項１から３のいずれかに記載の光ケーブル接続用クロージャ。
【請求項５】
切断せずにそのまま収容しておく光ファイバ心線を保持する保持部材が、前記光ファイバ心線を常時保持する第１の保持部と、テープ心線の単心分離作業時には前記光ファイバ心線を奥側に移動して保持する第２の保持部と、前記保持部材を前記光ファイバ心線の軸方向に移動可能に取付けるための取付部とを備えていることを特徴とする請求項１から４のいずれかに記載の光ケーブル接続用クロージャ。
【請求項６】
前記クロージャの筐体が、前記トレイおよび前記分岐ケーブル余長収納部を前記光ファイバ心線の長手方向の中央部に内包する幅広部と、前記幅広部の前後両側に前記光ケーブルを把持する幅細部とを有し、全体の側面形状がＴ字型をしていることを特徴とする請求項１から５のいずれかに記載の光ケーブル接続用クロージャ。
【請求項７】
前記コネクタ収納部には、前記コネクタを固定・保持するホルダが備えられており、このホルダが揺動可能に取付けられていることを特徴とする請求項１に記載の光ケーブル接続用クロージャ。 
【発明の詳細な説明】
【技術分野】
【０００１】
本発明は光ケーブル接続用クロージャに係り、例えばＦＴＴＨ(Fiber To The Home)において光ケーブルから光ドロップケーブルを家屋に引き込む際に用いられる光ケーブル接続用クロージャに関するものである。
【背景技術】
【０００２】
近年、光ファイバケーブルを用いたネットワークの中で、加入者宅まで直接光ファイバを引き込む形態をＦＴＴＨと言う。一般的には、加入者宅近傍には、１心〜数心程度の光ケーブルが通信事業者のネットワークとして配線されており、ＦＴＴＨではこの光ケーブルからドロップ光ケーブル等によって必要心数を引き落とし、加入者宅に引き込まれる。ＦＴＴＨは、加入申し込みを希望する不特定の場所(加入者宅)に光ファイバを引き込むため、既設の光ケーブルから接続に必要な余長を取り出し、ドロップ光ケーブルと接続するため、後分岐型のクロージャが使用される。後分岐型クロージャは、配線されている光ケーブルに直接取り付け、クロージャ内部で光ケーブルの外被を剥ぎ取り、必要心数を切断後、取り出し、剥ぎ取り分の余長を活用して、ドロップ光ケーブルと接続、収納するものである。従って、残りの光ファイバはそのまま繋がれた状態で、下流側に行き、別加入者宅へのＦＴＴＨに使用される。また、サービス開始期間の短縮や契約の切替等も多くなってきており、光ファイバ心線の接続は着脱が容易なコネクタを用いるようになってきた。
【０００３】
前述したような光ケーブルの分岐、引込、接続などを行うためのクロージャにおいては、ケーブル心線相互を接続すると共に、この接続部と、ケーブル心線の余長分とを収納するための心線接続余長収納トレイを備えたクロージャが知られている（例えば特許文献１参照）。
図１０および図１１に示すように、特許文献１に記載の光ケーブル接続用クロージャ１００は、心線トレイ１０１をクロージャ１００内に固着したトレイホルダー１０２に備えている。この心線トレイ１０１は複数層の重合状態でそれぞれヒンジ部１０３によって開閉自在に連結されて一組とし、テープ心線から分岐した単心ごとにコネクタと心線余長とを個別に一括収納できる心線ドロップ用トレイ１０４を構成している。この心線ドロップ用トレイ１０４は、クロージャ１００内に複数段に設けられたトレイホルダー１０２に挿脱自在に嵌装され、分岐した単心ごとにコネクタと心線余長とを一括収納できる構成とすると共に、心線ドロップ用トレイ１０４の高密度収納を可能とした構成としており、接続機能専用クロージャ或いはドロップ機能専用クロージャとして用いられている。
【特許文献１】特開２００１−４２１５５号公報（図１、図６）
【発明の開示】
【発明が解決しようとする課題】
【０００４】
ところで、後分岐型クロージャに要求される機能としては、ドロップ光ファイバが引き落とせること、テープ心線タイプのドロップケーブルが引き落とされること、切断された光ファイバ心線を再活用するため、下流側に送る機能等の多種機能が要求される。すなわち、ドロップ光ファイバ(単心)を引き込んでも、数ヶ月後に解約となった場合、クロージャ内部での切断が必要となる。また、同じマンションや集合住宅では、単心よりもテープ心線（例えば４心テープ心線）のドロップケーブルで引き込み、建屋内で分岐する方が効率が良い。また、解約が多い所では、切断されたままになっているが、下流側にお客さんの契約が発生した場合は、上流側のクロージャで切断されたものを「割り入れ」して下流側につなぎ込む必要がある。
【０００５】
また、近年、コネクタの機能が充実し、つなぎ込む側のコネクタに多種の形態のものが直接つなぐことができるようになった。その反面、φ０.２５ｍｍ心線のような細い心線と光ケーブルとが混在する収容トレイでは断線する場合も考えられるため、その防止策を考える必要がある。
【０００６】
さらに、後分岐型クロージャはどこにでも取り付けられるからＦＴＴＨが盛んになるにつれ、多数箇所に設置されることとなり、電柱の高さに部屋があるアパートやマンション等の住人から、「邪魔」、「光が反射する」等の苦情も多く、また景観の観点からできる限り小さくする必要がある。
【０００７】
本発明の目的は、主に、細い心線と太い光ケーブルとを別個に収容して細い心線を保護するとともに作業性を改善し、さらに、小型化を図ることができる光ケーブル接続用クロージャを提供することにある。
【課題を解決するための手段】
【０００８】
前述した目的を達成するために、本発明にかかる光ケーブル接続用クロージャは、複数本の光ファイバ心線を有する光ケーブルの任意の点から必要な光ファイバ心線を切り出して分岐ケーブルの分岐ケーブル把持部より先端で該分岐ケーブルから切り出した分岐光ファイバ心線に接続するとともに、残りの光ファイバ心線は切断せずにそのまま収容しておく後分岐型の光ケーブル接続用クロージャであって、当該クロージャの筐体内に、前記切断した光ファイバ心線と前記分岐光ファイバ心線とを接続するそれぞれのコネクタを収納するコネクタ収納部と、コネクタ接続された前記分岐光ファイバ心線の心線余長を収納する心線余長収納部と、前記分岐光ファイバ心線を配線するための配線用空隙とを備えているトレイを設け、前記トレイの下方の前記筐体内の空間には該筐体内に導入する前記分岐ケーブルの余長を収納する分岐ケーブル余長収納部を設けるとともに、前記トレイの側面および前記トレイの下方に前記分岐ケーブルを把持する前記分岐ケーブル把持部を設けたことにある。 
【０００９】
このように構成された光ケーブル接続用クロージャにおいては、光ケーブルの任意の点において光ケーブルに含まれている光ファイバ心線の内の必要な光ファイバ心線を切断し、この光ファイバ心線に分岐ケーブルを接続する。この際、光ファイバ心線と分岐ケーブルとを接続するコネクタは、トレイのコネクタ収納部に収納されるので、コネクタがガタガタすることなく確実に接続することができ、接続ロスの増加を防止することができる。また、分岐ケーブル側のコネクタに接続されている外被が除去された分岐光ファイバ心線の余長をトレイの心線余長収納部に収納するとともに、外被に覆われた分岐ケーブルの余長はトレイの下方に設けられている分岐ケーブル余長収納部に収納される。これにより、細い分岐光ファイバ心線と太い分岐ケーブルとを区別して収納することができ、破損しやすい分岐光ファイバ心線の安全を確保することができる。なお、分岐光ファイバ心線はトレイの配線用空隙から下方に配線することができる。また、外被付きの分岐ケーブルは、トレイの側面や下方に設けられている分岐ケーブル把持部により把持されているので、配線を整理することができる。
【００１０】
また、本発明にかかる光ケーブル接続用クロージャは、前記コネクタ収納部が該コネクタ収納部の中央に関して対称に、前記トレイの水平方向に対して下方に傾斜してＶ字形状に設けられ該トレイの底部の一部を形成していることにある。 
【００１１】
このように構成された光ケーブル接続用クロージャにおいては、コネクタ収納部が中央に関して対称に傾斜してＶ字状となっているので、配線用空隙から分岐光ファイバ心線を下方へ配線する際に、急激に曲げることなく配線することができる。また、切断されている光ファイバ心線を、両側にコネクタが取付けられているコードにより接続する際に、両方のコネクタを同一溝に中央を挟んで対向するように収容する。このとき、Ｖ字型にすることにより長さを確保して、干渉を防ぐことができる。
【００１２】
また、本発明にかかる光ケーブル接続用クロージャは、前記コネクタ収納部が前記コネクタを個別に収納する縦壁と、収納した前記コネクタの浮き上がり防止のために前記縦壁に設けた係止突起とを備えていることにある。
【００１３】
このように構成された光ケーブル接続用クロージャにおいては、縦壁間にコネクタを個別に収容するとともに、縦壁に設けた係止突起によりコネクタが脱落するのを防止することができる。
【００１４】
また、本発明にかかる光ケーブル接続用クロージャは、前記トレイの一部を形成する前記コネクタ収納部の底部にコネクタ押出し用の空隙を有することにある。
【００１５】
このように構成された光ケーブル接続用クロージャにおいては、コネクタ収納部に収納されているコネクタを、コネクタ押出し用の空隙から指等で押し上げることにより容易に取り出すことができるので、作業性を向上させることができる。なお、連続した１個の長い空隙を設けて、コネクタ押出し用の空隙と前述した配線用空隙とを兼ねるようにすることも可能である。
【００１６】
また、本発明にかかる光ケーブル接続用クロージャは、切断せずにそのまま収容しておく光ファイバ心線を保持する保持部材が、前記光ファイバ心線を常時保持する第１の保持部と、テープ心線の単心分離作業時には前記光ファイバ心線を奥側に移動して保持する第２の保持部と、前記保持部材を前記光ファイバ心線の軸方向に移動可能に取付けるための取付部とを備えていることにある。
【００１７】
このように構成された光ケーブル接続用クロージャにおいては、切断せずにそのまま収容しておく光ファイバ心線は、常時は保持部材の第１の保持部により保持されているが、テープ心線の単心分離作業時には奥側に移動させて保持部材の第２の保持部により保持する。このため、テープ心線の単心分離作業時に無関係の光ファイバ心線を作業の邪魔にならない場所に保持することができるので、道具がぶつかって無関係な光ファイバ心線を傷つけるのを防止するとともに、作業性を向上させることができる。また、保持部材は、取付部により光ファイバ心線の軸方向に移動可能に取り付けることができるので、接続する光ファイバ心線の保持位置を調整して光ファイバ心線の弛みを最適にすることができ、作業性を向上させることができる。
【００１８】
また、本発明にかかる光ケーブル接続用クロージャは、前記クロージャの筐体が、前記トレイおよび前記分岐ケーブル余長収納部を前記光ファイバ心線の長手方向の中央部に内包する幅広部と、前記幅広部の前後両側に前記光ケーブルを把持する幅細部とを有し、全体の側面形状がＴ字型をしていることにある。
【００１９】
このように構成された光ケーブル接続用クロージャにおいては、筐体の軸方向前後両側を幅細部としたので、全体の見た目でクロージャがコンパクトになり外観を改善することができる。また、筐体の側面の面積が小さくなるので風の影響を減少することができるとともに、軽量化を図ることができる。
【００２０】
また、本発明に係る光ケーブル接続用クロージャは、前記コネクタ収納部には、前記コネクタを固定・保持するホルダが備えられており、このホルダが揺動可能に取付けられていることにある。
【発明の効果】
【００２１】
本発明によれば、分岐ケーブル側のコネクタに接続されている外被が除去された分岐光ファイバ心線の余長を収納する心線余長収納部をトレイに設けるとともに、外被に覆われた分岐ケーブルの余長を収納する分岐ケーブル余長収納部トレイの下方に設けたので、細い分岐光ファイバ心線と太い分岐ケーブルとを区別して収納することができ、破損しやすい分岐光ファイバ心線の安全を確保することができるとともに、作業性を改善することができるという効果が得られる。
【発明を実施するための最良の形態】
【００２２】
以下、本発明に係る実施形態を図面に基づいて詳細に説明する。
図１は本発明の光ケーブル接続用クロージャに係る第１実施形態を示す側面図、図２(Ａ)はクロージャ内部の全体斜視図、図２(Ｂ)は図２(Ａ)中Ｂ部分の拡大平面図、図３はコネクタ収納部の平面図、図４はコネクタ収納部に収納されているコネクタを指で押出している状態を示す斜視図、図５(Ａ)はクランプの斜視図、図５(Ｂ)は取付けた状態を示す正面図、図６は筐体の側面図である。
【００２３】
図１および図２に示すように、本発明の第１実施形態である光ケーブル接続用クロージャ１０は、複数本の光ファイバ心線１１を有する光ケーブル１２の任意の点から必要な光ファイバ心線１１ａを切り出して分岐ケーブル１３を接続するとともに、残りの光ファイバ心線１１ｂは切断せずにそのまま収容しておく後分岐型のクロージャである。そして、切断した光ファイバ心線１１ａを接続するためのコネクタ１４を収納するコネクタ収納部２１（図３参照）と、コネクタ１４に対向する相手側コネクタであるプラグ１４ｂに接続された分岐光ファイバ心線１５の心線余長１５ａを収納する心線余長収納部２２と、心線余長収納部２２に収納されている分岐光ファイバ心線１５を下方に配線するための配線用空隙２３（図３参照）とを備えているトレイ２０が設けられている。また、トレイ２０の下方(図１において下方)には分岐ケーブル１３の余長を収納する分岐ケーブル余長収納部３１を設けるとともに、トレイ２０の側面および下方に分岐ケーブル１３を把持する分岐ケーブル把持部２４ａ、２４ｂを設けてある。
【００２４】
光ケーブル１２としてはスロットケーブルを使用することができ、光ファイバ心線１１としては、光ケーブル１２のスロット溝に収容されている多心(例えば４心)のテープ心線を用いることができる。また、分岐ケーブル１３としては、各家庭に引き込むための単心のドロップ光ファイバ１３ｂや、マンション等の集合住宅に引き込むための多心のテープ心線を用いたドロップケーブル１３ａを用いることができる。さらに、分岐ケーブル１３には、切断されたままになっている光ケーブル１２同士を接続するために、両端にコネクタが取付けられた割り入れ用のコード１３ｃ等を用いることができる。また、コネクタ１４とは、ソケット１４ａおよびプラグ１４ｂの両方を意味している。従って、前述したように、分岐ケーブル１３として種々のものを用いるため、プラグ１４ｂの形状も種々のものが使用される(図３参照)。
【００２５】
図１および図２に示すように、クロージャ１０内には、配線方向に貫通するメインフレーム１６ａが設けられており、このメインフレーム１６ａの両端部付近から下方に設けられた取付金具１６ｂを介してトレイ２０が取付けられている。また、メインフレーム１６ａの両端部には、光ケーブル１２を固定するケーブル固定部１６ｃが設けられている。
【００２６】
トレイ２０の中央部上方には軸方向(図１および図２において左右方向)に、ドロップケーブル１３ａのテープを裂いた残りの心線を収納しておく心線置き２０ｄが設けられており、この心線置き２０ｄを挟んで左右両側にコネクタ収納部２１が設けられている。図２(Ｂ)に示すように、トレイ２０の外周壁２０ａには、一部外側にずれた部分２０ｂが設けられており、このずれた部分２０ｂと外周壁２０ａとの間には隙間２０ｃが設けられている。従って、分岐ケーブル１３を隙間２０ｃに通すことにより、ずれた部分２０ｂに引っ掛けたり、分岐ケーブル１３から分離した分岐光ファイバ心線１５をトレイ２０の外周壁２０ａの外から内へあるいは内から外へ配線することができることになる。
【００２７】
このコネクタ収納部２１は、図３に示すように、縦壁２１ａを所定の間隔で設けてコネクタ１４を個別に収納するための溝部２１ｂを形成している。溝部２１ｂは軸方向に長く設けられており、コネクタ接続によって光ファイバ心線１１ａに切り縮みが生じた際（例えば、１回のコネクタ接続の失敗で、約２０ｍｍの切り縮みが発生する。）でもコネクタ１４を確実に保持できるようにしている。また、軸方向の前後両側からコネクタ１４の収容ができるようになっている。縦壁２１ａの上端部には、溝部２１ｂ側に突出した係止突起２１ｃが設けられており、振動等によるコネクタ１４の浮き上がりを防止するとともに挿入時にカチッと音がするので確実に収納することができる。なお、プラグ１４ｂと接続していないソケット１４ａを単独で収納することもできる。
【００２８】
また、溝部２１ｂの底部には、前述した配線用空隙２３とコネクタ押出し用の空隙２３ａとが設けられている。図４に示すように、コネクタ押出し用の空隙２３ａは、溝部２１ｂに収納されているコネクタ１４を、トレイ２０の下方から指Ｍや細い棒状の部材で押し上げる際に用いられる。これにより、容易にコネクタ１４をコネクタ収納部２１から取り出すことができるので、作業性を向上させることができる。
なお、配線用空隙２３とコネクタ押出し用空隙２３ａとを別個に設ける必要は無く、連続した１個の長い空隙を設けて、コネクタ押出し用の空隙と前述した配線用空隙とを兼ねるようにすることも可能である。
【００２９】
図２に示すように、トレイ２０上のコネクタ収納部２１に隣接して、心線余長収納部２２が設けられている。この心線余長収納部２２は、分岐光ファイバ心線１５として０．２５ｍｍφの単心線をプラグ１４ｂに接続している場合に、この単心線の余長を収納するものである。また、分岐ケーブル１３として例えば４心のテープ心線を有するドロップケーブル１３ａを用いる場合には、テープ心線を単心にばらしてコネクタ付けするため、ばらした単心線の余長を心線余長収納部２２に収納することになる。この場合には、テープ心線の各単心線を個別に溝部２１ｂに導く際に生じる長さの差（内輪差）を吸収するとともに、各単心線について許容曲げ半径以上の曲げ半径を確保することができる。
【００３０】
一方、図１に示すように、トレイ２０の下方には、金具３２を介して下部フレーム３３が水平に設けられており、この下部フレーム３３の上に分岐ケーブル余長収納部３１が設けられている。この分岐ケーブル余長収納部３１は、外被がついた光ケーブル（ドロップ光ファイバ１３ｂ、ドロップケーブル１３ａ、コード１３ｃ等）を収納するものであり、収納されている光ケーブルは、コネクタ収納部２１に設けられている配線用空隙２３からトレイ２０の上方へ配線されてコネクタ接続される。これら外被が付いたケーブルは、取り扱いが簡単で、空中配線もできるので、トレイ２０の下側に自由に収納される。
【００３１】
図１および図２(Ａ)に示すように、トレイ２０の側面および下方には、トレイ２０の外側や下側に配線されている分岐ケーブル１３ａ，１３ｂを把持する分岐ケーブル把持部２４ａ、２４ｂが設けられている。分岐ケーブル１３ａ、１３ｂは金具３２を通って下方に導出されている。
トレイ２０の側面に設けられている分岐ケーブル把持部２４ａはドロップケーブル１３ａを把持する部材である。すなわち、図２(Ｂ)に示すように、分岐ケーブル把持部２４ａはドロップケーブル１３ａの外被の先端部を把持し、ドロップケーブル１３ａのテープ心線から分離された分岐光ファイバ心線１５はトレイ２０の外周壁２０ａの隙間２０ｃからトレイ２０の心線余長収納部２２に配線される。
また、トレイ２０の下方に設けられている分岐ケーブル把持部２４ｂは、例えばトレイ２０の下方に配線されているドロップ光ファイバ１３ｂの外被を把持して、クロージャ１０の外部に導くようになっている。
【００３２】
図５(Ａ)および(Ｂ)には、光ケーブル１２の外被を除去して分離した光ファイバ心線１１を把持するためのクランプ４０が示されている。このクランプ４０の中央には、クランプ４０をメインフレーム１６ａに取付けるための取付部４１が設けられている。取付部４１は、メインフレーム１６ａの断面形状に対応しており、メインフレーム１６ａに沿って軸方向に移動可能に取付けられるようになっている。
【００３３】
また、クランプ４０の一方の端部には、すべての光ファイバ心線１１を常時保持する第１の保持部４２が設けられている。第１の保持部４２では、ひも状部材４２ａを光ファイバ心線１１の外側に巻回し、ひも状部材４２ａの先端の係止部４２ｂを係止することにより、光ファイバ心線１１を把持するようにしている。なお、ひも状部材４２ａの係止部４２ｂをはずすことにより、把持している光ファイバ心線１１を取り出すことができるようになっている。この形態では、ひも状部材４２ａは、下方向に開くことができ、光ファイバ心線１１を第２の保持部４３に容易に移動させることができる。また、別の形態として、ひも状部材は、上方向に開く形態を採用してもよい。ひも状部材を上方向に開いた場合は、上方向の形状復元力でもって光ファイバ心線を保持することができる。
【００３４】
さらに、他方の端部には、テープ心線の単心分離作業時に切断せずにそのまま収容しておく光ファイバ心線１１ｂをメインフレーム１６ａの奥側に移動して保持するための第２の保持部４３が設けられている。この第２の保持部４３は、テープ心線の単心分離作業時に光ファイバ心線１１ｂを作業の邪魔にならないように一時的に退避させるためのものであるため、簡単に光ファイバ心線１１ｂを引っ掛けるだけの構造となっている。
【００３５】
従って、光ファイバ心線１１は、常時は第１の保持部４２によってばらつくことがないように確実に保持されており、心線接続作業時には、第１の保持部４２を解放して切断して接続作業を行う光ファイバ心線１１ａ以外の切断しない光ファイバ心線１１ｂを第２の保持部４３により保持する。これにより、所望の光ファイバ心線１１ａのテープ心線の単心分離作業時に、他の光ファイバ心線１１ｂを傷つけるのを回避することができ、作業性を改善することができる。また、クランプ４０は、メインフレーム１６ａの軸方向に移動可能に取り付けられているので、接続する光ファイバ心線１１ａの保持位置を調整して光ファイバ心線１１ａの弛みを最適にすることができ、作業性を向上させることができる。
【００３６】
図１において二点鎖線で示すとともに図６に示したように、クロージャ１０の筐体１７は、トレイ２０および分岐ケーブル余長収納部３１を光ファイバ心線１１の長手方向の中央部に内包する幅広部１７ａと、前記幅広部の前後両側に前記光ケーブルを把持する幅細部１７ｂとを有している。従って、全体の側面形状は、図６に示すように、Ｔ字形状となっている。
これにより、全体の見た目でクロージャ１０がコンパクトになり外観を改善することができる。また、筐体１７の側面の面積が小さくなるので風の影響を減少することができるとともに、軽量化を図ることができる。
【００３７】
次に、配線されている光ケーブル１２に分岐ケーブル１３を接続する心線接続作業について説明する。
まず、光ケーブル１２の所望の接続点付近の外被を、クロージャ１０の長さよりも若干短く除去して光ファイバ心線１１を露出し、クロージャ１０のメインフレーム１６ａの両端に設けられているケーブル固定部１６ｃによりメインフレーム１６ａを光ケーブル１２の外被に取付ける。このとき、光ファイバ心線１１のうち接続作業を行うために切断した光ファイバ心線１１ａ以外の光ファイバ心線１１ｂをメインフレーム１６ａの奥側に移動させて、メインフレーム１６ａに取付けられているクランプ４０の第２の保持部４３に一時的に保持する。切断された光ファイバ心線１１ａの端部には、ソケット１４ａを取付ける。
【００３８】
分岐ケーブル１３として、多心のテープ心線を有するドロップケーブル１３ａを接続する場合には、ドロップケーブル１３ａの端部の外被を所定長さ除去してテープ心線を露出し、テープ心線に含まれている分岐光ファイバ心線１５を分離する。そして、各分岐光ファイバ心線１５の先端にプラグ１４ｂを取付けておく。ドロップケーブル１３ａは、幅細部側面からクロージャ１０内に導入され、金具３２を通りトレイ２０の側面に設けられている分岐ケーブル把持部２４ａによりドロップケーブル１３ａの外被の端部を把持する。露出された分岐光ファイバ心線１５は、トレイ２０の外周壁２０ａの隙間２０ｃからトレイ２０内部に配線され、心線余長収納部２２において長さの調整をして、プラグ１４ｂを光ケーブル１２のソケット１４ａに接続する。接続されたソケット１４ａおよびプラグ１４ｂは、コネクタ収納部２１に収納される。最後に、筐体１７を取付ける。
【００３９】
分岐ケーブル１３としてドロップ光ファイバ１３ｂを接続する場合には、幅細部側面からクロージャ１０内に引き込まれたドロップ光ファイバ１３ｂをトレイ２０下方の分岐ケーブル余長収納部３１に配線する。分岐ケーブル余長収納部３１において余長を収納し、先端をトレイ２０のコネクタ収納部２１の配線用空隙２３から上方へ引き出し、ドロップ光ファイバ１３ｂの先端にプラグ１４ｂを直付けする。プラグ１４ｂをソケット１４ａに接続して、コネクタ収納部２１に収納する。最後に、筐体１７を取付ける。
【００４０】
分岐ケーブル１３としてコード１３ｃを接続する場合には、コード１３ｃはクロージャ１０の外部には引き出されない。コード１３ｃはトレイ２０下方の分岐ケーブル余長収納部３１に収納されて余長の調整をし、両端に取付けられているプラグ１４ｂをトレイ２０のコネクタ収納部２１の配線用空隙２３を通って上方へ引き出し、ソケット１４ａと接続して、コネクタ収納部２１に収納する。最後に、筐体１７を取付ける。
【００４１】
以上、説明した光ケーブル接続用クロージャ１０においては、光ファイバ心線１１と分岐ケーブル１３とを接続するコネクタ１４は、トレイ２０のコネクタ収納部２１に収納されるので、コネクタ１４がガタガタすることなく確実に接続することができ、接続ロスの増加を防止することができる。また、分岐ケーブル１３側のプラグ１４ｂに接続されている外被が除去された分岐光ファイバ心線１５の余長をトレイ２０の心線余長収納部２２に収納するとともに、外被に覆われた分岐ケーブル１３の余長はトレイ２０の下方に設けられている分岐ケーブル余長収納部３１に収納される。これにより、細い分岐光ファイバ心線１５と太い分岐ケーブル１３とを区別して収納することができ、破損しやすい分岐光ファイバ心線１５の安全を確保することができる。
【００４２】
次に、図７および図８に別の実施形態が示してある。なお、図１から図６で前述した部位と共通する部位には同じ符号を付して、重複する説明を省略することとする。
前述した実施形態にかかる光ケーブル接続用クロージャ１０では、トレイ２０に設けられているコネクタ収納部２１は平らに形成されていたが、図７および図８に示すように、コネクタ収納部２１Ｂをコネクタ収納部２１Ｂの中央に関して対称に傾斜したＶ字状に形成することもできる。
【００４３】
この場合には、配線用空隙２３から分岐ケーブル１３を下方へ配線する際に、分岐ケーブル１３が斜め下方に向いているため、急激に曲げることなく配線することができる。また、図８に示すように、切断されている光ファイバ心線１１ａ間を、両側にコネクタ（プラグ１４ｂ）が取付けられているコード１３ｃにより接続する際に、両方のコネクタ１４を同一溝ブラケット２１ｂに中央を挟んで対向するように収容する。このとき、Ｖ字型にすることにより長さを確保して、干渉を防ぐことができる。
【００４４】
図９にはコネクタ収納部の別な実施形態が示されている。図９（Ａ）に示すように、Ｖ字状のコネクタ収納部２１において、複数かつ平行に配置された縦壁２１ｃ、２１ｃ間にコネクタを固定・保持するホルダ５０が備えられている。このホルダ５０は図９（Ｂ）に示すように、一方端部には係止突起５１が備えられ、他方端部には軸受容部５２が形成されている。この軸受容部５２はコネクタ収納部２１の隣り合った縦壁２１ｃ、２１ｃを連結するように配置された軸棒５３を受容しており、ここを支点としてホルダ５０が上方向に旋回可能（揺動可能）となっている。係止突起５１は、コネクタ収納部２１の底に形成された孔５４に係止してホルダ５０を固定している。
【００４５】
ホルダ５０の上面には前側で第１係止穴５５及び中間付近で第２係止穴５６が形成されており、図９（Ｃ）に示すように、コネクタ５７の底面に形成した第１係止片５８及び第２係止片５９とそれぞれ係止し、コネクタ５７がホルダ５０に固定可能となっている。コネクタ５７をホルダ５０に固定するには、図９（Ｄ）に示すように、コネクタ５７をホルダ５０に対し若干後方に配置し、第１係止片５８と第２係止片５９をホルダ５０の第１係止穴５５と第２係止穴５６に挿入する。その後、図９（Ｅ）に示すように、コネクタ５７を前方向にスライドさせていくと穴と係止片が係わりあってホルダ５０に固定される。
【００４６】
上述の図８に示す実施形態では、例えば、プラグのみを取り出そうとした場合、ソケットとプラグをコネクタ収納部から取り出した後にプラグを取り出すことができる。これに対し、図９に示す実施形態では、ソケットとプラグが固定しているホルダを矢印で示すように上方向に旋回させてプラグのみを取り外すことができ、ソケットを取り外す必要がなく、迅速かつ簡易に取り出し作業を行うことができる。
【００４７】
なお、本発明の光ケーブル接続用クロージャは、前述した各実施形態に限定されるものでなく、適宜な変形，改良等が可能である。
【産業上の利用可能性】
【００４８】
以上のように、本発明に係る光ケーブル接続用クロージャは、分岐ケーブル側のコネクタに接続されている外被が除去された分岐光ファイバ心線の余長を収納する心線余長収納部をトレイに設けるとともに、外被に覆われた分岐ケーブルの余長を収納する分岐ケーブル余長収納部トレイの下方に設けたので、細い分岐光ファイバ心線と太い分岐ケーブルとを区別して収納することができ、破損しやすい分岐光ファイバ心線の安全を確保することができるとともに、作業性を改善することができるという効果を有し、例えばＦＴＴＨにおいて光ケーブルから光ドロップケーブルを家屋に引き込む際に用いられる光ケーブル接続用クロージャ等として有用である。
【図面の簡単な説明】
【００４９】
【図１】本発明の光ケーブル接続用クロージャに係る第１実施形態を示す側面図である。
【図２】(Ａ)はクロージャの全体斜視図である。  (Ｂ)は図２(Ａ)中Ｂ部分の拡大平面図である。
【図３】コネクタ収納部の平面図である。
【図４】コネクタ収納部に収納されているコネクタを指で押出している状態を示す斜視図である。
【図５】(Ａ)はクランプの斜視図である。  (Ｂ)は取付けた状態を示す正面図である。
【図６】筐体の側面図である。
【図７】別の実施形態にかかるコネクタ収納部の側面図である。
【図８】別の実施形態にかかるコネクタ収納部の斜視図である。
【図９】更に別の実施形態にかかるコネクタ収納部の説明図である。
【図１０】（Ａ）は従来のクロージャの一部破断の平面図である。  （Ｂ）は従来のクロージャの一部破断の側面図である。
【図１１】（Ａ）は心線ドロップ用トレイに心線トレイを組み込んだ状態の平面図である。  （Ｂ）は心線トレイを一部展開した状態の平面図である。
【符号の説明】
【００５０】
１０  光ケーブル接続用クロージャ
１１  光ファイバ心線
１１ａ  切断した光ファイバ心線
１１ｂ  残りの光ファイバ心線
１２  光ケーブル
１３  分岐ケーブル
１４  コネクタ
１４ｂ  プラグ（対向するコネクタ）
１５  分岐光ファイバ心線
１７  筐体
１７ａ  幅広部
１７ｂ  幅細部
２０  トレイ
２１  コネクタ収納部
２１ａ  縦壁
２１ｃ  係止突起
２２  心線余長収納部
２３  配線用空隙
２３ａ  押出し用の空隙
２４ａ、２４ｂ  分岐ケーブル把持部
３１  分岐ケーブル余長収納部
４０  クランプ（保持部材）
４１  取付部
４２  第１の保持部
４３  第２の保持部
【図１】
0004637000.tif 000002
【図２】
0004637000.tif 000003
【図３】
0004637000.tif 000004
【図４】
0004637000.tif 000005
【図５】
0004637000.tif 000006
【図６】
0004637000.tif 000007
【図７】
0004637000.tif 000008
【図８】
0004637000.tif 000009
【図９】
0004637000.tif 000010
【図１０】
0004637000.tif 000011
【図１１】
0004637000.tif 000012